(57)【要約】細胞の塊のサイズ変更に使用するための解凝集器が開示されている。この解凝集器は、複数の前側エッジ及び後側エッジによって規定される複数の開口を含んでよい。細胞の塊は、複数の開口を前から後ろに、そして後ろから前に繰り返し通過してよい。この解凝集器は、細胞塊の解凝集を助けることができる複数の刃を含んでよい。この解凝集器は、組織を第１の注射器から装置を通過させて第２の注射器に前後に渡し、次に第２の注射器から装置を通過させて第１の注射器に再び戻すことができるように、２つの注射器の間に構成されてよい。このようにして、細胞の塊を適切に解凝集することができる。【選択図】図１２
2021531134.tif 000002
【特許請求の範囲】
【請求項１】
（ａ）内部容積を規定するハウジングアセンブリであって、第１のポート及び第２のポートを含み、かつ前記第１のポートと前記第２のポートとの間に流体流路を規定しており、前記第１のポート及び第２のポートが、それぞれ第１の注射器及び第２の注射器に接続するように適合されている、ハウジングアセンブリと、
（ｂ）前記内部容積内に配置され、前記流路に実質的に垂直である切断要素と、
を含み、
前記切断要素が、複数の開口を規定する複数の剛性部材を含み、
前記剛性部材が、少なくとも１つの面に切断エッジを含み、前記開口は、長さが０．０５ｍｍ〜１０ｍｍである
装置。
【請求項２】
前記ハウジングアセンブリが２つのハウジング部材を含む請求項１に記載の装置。
【請求項３】
前記ハウジング部材が円錐台状の形状である請求項２に記載の装置。
【請求項４】
前記切断要素部材が両面に切断エッジを含む請求項１〜３のいずれか一項に記載の装置。
【請求項５】
２つ以上の切断要素を含む請求項１〜４のいずれか一項に記載の装置。
【請求項６】
長さが０．５ｍｍ〜１０ｍｍの開口を含む第１の切断要素を含む請求項１〜５のいずれか一項に記載の装置。
【請求項７】
長さが０．１ｍｍ〜２．５ｍｍの開口を含む第２の切断要素を含み、前記第２の切断要素の開口の長さが、前記第１の切断要素の開口より短い請求項１〜６のいずれか一項に記載の装置。
【請求項８】
前記第２の切断要素部材が両面に切断エッジを含む請求項７に記載の装置。
【請求項９】
（ａ）内部容積を規定するハウジングアセンブリであって、
第１の嵌合対部材と、第１の注射器に接続するように適合された第１の側方ポートと、を含む第１のハウジング部材と、
第２の嵌合対部材と、第２の注射器に接続するように適合された第２の側方ポートと、を含む第２のハウジング部材と、を含み、
前記第１及び第２の嵌合対部材を嵌合させて液密シールを形成することによって形成され、
前記第１のハウジング部材と第２のハウジング部材とが嵌合するときに、前記第１のポートと前記第２のポートとの間に流体流路が規定される、ハウジングアセンブリと、
（ｂ）前記内部容積内にあり、かつ前記流体流路に対して実質的に垂直な、内側に配置された２つのスライサーであって、
長さが０．１〜２．５ｍｍのスライサー開口を規定する剛性スライサー部材を含み、前記剛性スライサー部材が、少なくとも１つの面に切断エッジを含む、スライサーと、
（ｃ）前記内部容積内にあり、前記流体流路に対して実質的に垂直であり、かつ前記内側に配置された２つのスライサーによって分離されている、横方向に配置された２つのチョッパーであって、
長さが０．５〜１０．０ｍｍであり、かつ前記スライサー開口より大きいチョッパー開口を規定する剛性チョッパー部材を含み、前記剛性チョッパー部材が、少なくとも１つの面に切断エッジを含む、チョッパーと
を含む装置。
【請求項１０】
前記剛性スライサー部材が両面に切断エッジを含む請求項９に記載の装置。
【請求項１１】
前記剛性チョッパー部材が両面に切断エッジを含む請求項９〜１０のいずれか一項に記載の装置。
【請求項１２】
前記２つの内側に配置されたスライサーが、少なくとも１つのＯリングによって分離される請求項９〜１１のいずれか一項に記載の装置。
【請求項１３】
前記少なくとも１つのＯリングが、前記少なくとも１つのスライサーに一体化されている請求項１３に記載の装置。
【請求項１４】
前記第１のポート及び前記第２のポートが、ルアーロック嵌合対部材を含む請求項９〜１３のいずれか一項に記載の装置。
【発明の詳細な説明】
【技術分野】
【０００１】
本発明は、医療移植手順のための脂肪細胞集塊のサイズ変更を含む、組織塊をサイズ変更する装置、システム及び方法に関する。
【背景技術】
【０００２】
本発明の背景に関する以下の記載は、本発明の理解を容易にするためのものに過ぎず、本発明の先行技術を説明又は構成するためのものではない。
【０００３】
脂肪細胞は、局所麻酔下で又は典型的に外来診療の場で、例えば、皮下臀部、腹部又は膝部位を含む、患者の任意のドナー部位から脂肪組織を抽出することを含む脂肪吸引手順によって得ることができる理想的な皮膚充填材である。次に、採取された組織は、患者の体の別の部分（例えば、患者の唇、顔のしわなど）に再注入され得る。次に、注入された組織は、患者の顔のハリ感を高め、しわを埋め、及び／又は浅い輪郭を形成することができる。しかしながら、患者の体から最初に脂肪組織を除去するとき、大きすぎて患者に再注入できない可能性のある脂肪細胞の凝集した塊が含まれる場合がある。例えば、抽出された脂肪細胞の塊が大きすぎて、特定の医療処置に必要な侵襲性の低い細い針を通過できない場合がある。さらに、患者に注射するとき、大きなサイズの脂肪細胞集塊は、小さなサイズの脂肪細胞集塊と同様に、患者の幹細胞と相互作用しない可能性がある。
【０００４】
移植用脂肪組織を採取するために広く受け入れられている方法は、負圧注射器技術を使用することであり、この技術は、チューメセント溶液で該当部位を準備し、次に１０、３０又は６０ｍｌの注射器に取り付けられた採取カニューレを使用することを含む。採取カニューレが患者体内の採取部位にあるときに、プランジャを引き抜き（引き出し）、負圧を発生させる。負圧が失われるか又は注射器が脂肪吸引物で満たされるまで、採取部位内でカニューレを移動させる。次に、この吸引物を患者に移植する前に、フィルター、重力分離又は遠心分離のいずれかによって過剰な液体を排出する。
【０００５】
コールマン脂肪組織技術は、移植前に、吸引物を処理する方法である。脂肪吸引物を含む採取注射器の底部をルアーロックキャップで閉じ、固体生体物質から液相を分離するように遠心分離する。遠心分離後に、閉じられていないルアーロックキャップを介して麻酔薬及び生体液体を手動で排出する。溶解して損傷した脂肪細胞から放出された細胞断片及び未結合の油は、不完全かつ基本的な方法でのみ除去される。
【０００６】
コールマン脂肪組織技術及び類似の技術は、比較的単純であり、いくつかの利点を有するが、一定の欠点を有する。第一に、遠心分離による吸引及び分離のステップにおいて、脂肪細胞がかなり損傷及び溶解するとともに、油が放出される。この遊離油は通常、完全に除去されないため、高レベルの油汚染（すなわち、遠心分離後に注射筒の上部に位置する細胞材料の部分）により、脂肪吸引物のかなりの部分が使用できなくなってしまう。生体充填材中に油が存在するため、感染及び拒絶反応のリスクが高まり、炎症が増加する。さらに、これらのプロセスにおいては、脂肪吸引された材料と複数の器具とが複数回接触し、かつ潜在的に無菌環境での空気への暴露が重大であり、汚染、そして最終的に感染のリスクをさらに高める。
【０００７】
脂肪細胞処理のためにまれに用いられる技術は、ブレンダーにより分離された脂肪小葉を使用して吸引された細胞凝集体の機械的断片化を含み、注射可能な細胞懸濁液を提供する。上述した技術と同様に、このブレンダー技術は、かなりの量の脂肪細胞が損傷かつ溶解し、汚染される可能性、及び採取材料のかなりの部分（５０％と同じ程度）が美容手順で使用に適さなくなるなどの同様の欠点を有する。さらに、上記手順及び装置を使用して得ることができる使用可能な細胞懸濁液の量は、医療スタッフの技術と、ブレンダー及び遠心分離機の速度ならびに操作時間を含む操作変数とに大きく依存する。刃の速度が過剰である場合及び／又は切断刃のメンテナンスが十分でない場合には、脂肪小葉を十分に分離せず、代わりに大量の脂肪細胞の細胞壁が機械的に破壊される可能性がある。
【０００８】
他の処理技術は、フィルター又はストレーナー（細かい網状格子）により吸引物を洗浄することを含む。これもまた欠点を有する。このフィルター／ストレーナー網は採取された材料で簡単に詰まる可能性があり、手動洗浄するか又はメッシュから脂肪と大きな細胞凝集体を除去する必要があるため、汚染のリスクが高まり、吸引された試料からの収量が減少する。
【０００９】
したがって、個々の細胞を損傷せずに、より大きな細胞（例えば、脂肪細胞）の塊をより小さなサイズの塊にサイズ変更することができる装置、システム及び方法が必要とされる。また、より大きな細胞の塊のサイズ変更を不必要に禁じないためにも、これを行う必要がある。
【発明の概要】
【発明が解決しようとする課題】
【００１０】
本開示は、細胞の塊（例えば、脂肪細胞の塊）を解凝集するための装置及び方法を提供する。この装置は、組織解凝集器、組織サイズ決定装置又は脂肪サイズ決定装置として説明できる。
【課題を解決するための手段】
【００１１】
この装置は、典型的には、ハウジングアセンブリと、該ハウジングアセンブリの内部容積内に含まれる１つ以上の切断要素とを含む。このハウジングアセンブリは、第１の注射器及び第２の注射器に接続し、かつそれらの間に流体流路を作成するように設計される。いくつかの実施形態では、様々な図に示されるように、流体流路は実質的に線形である。いくつかの実施形態では、ハウジングアセンブリは、ポートを介して注射器に接続される。任意選択的に、ポートは、ねじ式又はスリップフィット式のルアーロックコネクタで構成されている。
【００１２】
いくつかの実施形態では、ハウジングアセンブリは２つのハウジング部材を含み、各ハウジング部材は、１つのポートを含む。ハウジング部材は、本明細書に記載されるように、直接的又はスペーサーハウジングなどの１つ以上の中間ハウジングアセンブリ要素を介して一体に結合されるように適合されている。全てのハウジングアセンブリ要素は、嵌合時に液密シールを提供するように構成されている。様々なハウジングアセンブリ構成要素に適する嵌合対部材は、ねじ付きコネクタ、スナップ、ノッチ及び戻り止め、摩擦／スリップ金具などを含むが、これらに限定されない。
【００１３】
本明細書で使用される場合、「横方向」という用語は、相対的なものであり、組み立てられた装置のポートに向かう方向を指している。同様に、「内側」という用語は、組み立てられた装置の中心に向かう方向を指している。
【００１４】
本明細書に記載されるように、１つ以上の切断要素は、所望の目的に適する任意の数で存在してよく（例えば、１、２、３、４、５、６個又はそれ以上の切断要素が存在してよい）、また切断要素は、同じであっても異なっていてもよい。例えば、切断要素は、本明細書に記載されるように、スライサー及びチョッパーを含んでよい。切断要素は、典型的には、ハウジングアセンブリ内に適合してしっかりと保持されるように構成されている。切断要素は、典型的には、格子として構成されているか又は格子状であり、ここで、開口を規定する複数の剛性部材を有するものとして定義されている。開口は、所望の用途及び目的の組織タイプに適する任意の形状であってよい。例えば、開口は、典型的には、円形、楕円形、又は卵形、三角形、正方形、長方形、菱形、又は任意の他の四辺形、又はより高次の多面形状（例えば、五角形、六角形など）であってよい。切断要素は流体流路に対して垂直に配置され、これにより開口は流体流路と一直線になる。換言すれば、流体流路に沿って一方のポートから他方のポートに流れる流体は、開口を通過する。
【００１５】
本明細書で使用される場合、切断部材の開口を説明するときの「長さ」という用語は、典型的には開口の最長寸法を指すことを意図している。例えば、円形の開口の場合、「長さ」は円周を指しており、三角形の開口の場合、「長さ」は最も長い頂点を指しており、正方形、長方形又は四辺形の開口の場合、「長さ」は最も長い対角線（角から角）を指している。いくつかの実施形態では、開口の長さは０．１ｍｍ〜１０．０ｍｍである。
【００１６】
本明細書で使用される場合、切断要素（例えば、チョッパー又はスライサー）を説明するときの「格子」という用語は、単に規則的又は不規則な開口の配列を指しており、開口が正方形又は長方形の形状であることを必ずしも意味しない。例えば、図１４は、「蜘蛛形格子」パターンで配列された開口を有するチョッパーを示している。
【００１７】
切断要素部材（例えば、チョッパー部材及びスライサー部材）は、開口を規定する内部支持部材である。切断要素部材は、前側、裏側又はその両方に少なくとも１つの切断エッジを有する。切断エッジは流体の流れ方向に面し、これにより一方のポートから他方のポートへ流体流路に沿って移動する細胞の凝集体又は他の粒子状物質は、開口を通過して流れる前に切断エッジにぶつかる。
【００１８】
本明細書で論じられるように、装置は、移植前に組織（例えば、脂肪組織）の吸引物をサイズ決定するために使用されている。通常、組織は、標準的な方法に従って収集（第１の）注射器を使用してドナーから採取される。次に、採取された組織は、収集（第１の）注射器から装置を介して第２の注射器に１回（すなわち、一方向に）渡されるか、又は１回、２回、３回、４回、５回、６回もしくはそれ以上の回数、往復して渡される。好ましい実施形態では、組織試料は、第１の注射器から第２の注射器に渡され、そして第１の注射器に少なくとも１回戻される。
【００１９】
一態様では、装置は、単一の切断要素のみを含む。この切断要素は、本明細書に記載されるようなチョッパー又はスライサーの仕様に概ね適合し、開口の長さは０．１ｍｍから１０．０ｍｍであってよい。切断要素部材は、片面又は両面に切断エッジを有してよい。好ましくは、切断要素部材は、組織を注射器間で両方向に移送するときに効果的に解凝集するように、両面に切断エッジを有する。
【００２０】
別の態様では、装置は２つの切断要素を含み、任意選択的に、切断要素間にＯリングを含む。Ｏリングは別個の要素であるか、又は切断要素の一方もしくは両方に統合されてよい。いくつかの実施形態では、２つの切断要素は同一である。いくつかの実施形態では、切断要素部材は一方の面のみに切断エッジを有し、切断面は外側向きである（すなわち、２つの切断要素の非切断面は、内側向きであり、「背中合わせ」に配置される）。他の実施形態では、切断要素の両面は、切断要素部材上に切断エッジを有する。
【００２１】
別の態様では、装置は３つの切断要素を含み、任意選択的に、１つ以上の切断要素の間に統合されるか又は別個のＯリングを含む。一実施形態では、第１及び第３の切断要素は横方向に配置され、第２の切断要素は内側に配置され（すなわち、第１と第３の切断要素の間に挟まれ）、第１及び第３の切断要素は、第２の切断要素の開口より大きい開口を有する。任意選択的に、第１及び第３の切断要素は実質的に同一である。いくつかの実施形態では、第１及び第３の切断要素は、側面に面する表面のみに切断エッジを有する。他の実施形態では、第１及び第３の切断要素は、外側に面する表面と内側に面する表面の両方に切断エッジを有し、及び／又は任意選択的に、本明細書に記載されるチョッパーの説明に適合する。他の実施形態では、第２の切断要素は、両面に切断エッジを有し、及び／又は任意選択的に、本明細書に記載されるスライサーの説明に適合する。
【００２２】
別の態様では、装置は４つの切断要素を含み、任意選択的に、１つ以上の切断要素の間に統合されるか又は別個のＯリングを含む。一実施形態では、第１及び第４の切断要素は横方向に配置され、第２及び第３の切断要素は内側に配置され（すなわち、第１及び第４の切断要素の間に挟まれ）、第１及び第４の切断要素は、第２及び第３の切断要素の開口より大きい開口を有する。いくつかの実施形態では、第１及び第４の切断要素は実質的に同一であり、及び／又は任意選択的に、本明細書に記載されるチョッパーの説明に適合する。いくつかの実施形態では、第２及び第３の切断要素は実質的に同一であり、及び／又は任意選択的に、本明細書に記載されるスライサーの説明に適合する。いくつかの実施形態では、第１及び第４の切断要素は、側面に面する表面のみに切断エッジを有する。他の実施形態では、第１及び第４の切断要素は、外側に面する表面と内側に面する表面の両方に切断エッジを有する。いくつかの実施形態では、第２及び第３の切断要素は、外側に面する表面及び内側に面する表面の両方に切断エッジを有する。
【００２３】
他の態様では、装置は、本明細書に記載されるように、２、３、４、５、６、７、８個又はそれ以上の切断要素を含む。全ての切断要素は同一であっても異なっていてもよい。一般的には、装置が「順方向」又は「逆方向」のどちらの方向に使用されるかにかかわらず、構成及び切断面が対称になるように、切断要素を配置することが好ましい。さらに、一般的には、全ての切断要素が同一でない場合、開口サイズが一般に外側から内側の方向に減少することが好ましい。例えば、奇数の切断要素を使用する場合、切断要素は、１−２−３−２−１のような対称パターンで配置され、切断要素１は、切断要素３に向かって徐々に減少する最大の開口サイズを有する。同様に、偶数の切断要素を使用する場合、切断要素は、１−２−３−３−２−１のような対称パターンで配置されてよい。
【００２４】
前述の態様のいくつかの実施形態では、本発明は、２つのハウジング部材、様々なサイズの１つ以上のスペーサーハウジング及び複数の切断要素を含むキットを提供する。ハウジングアセンブリ部材は、ユーザが選択及び順序付けすることができる、数量変更が可能な切断要素を受け入れるように適合されている。例えば、システムは、嵌合時に、単一の切断要素を内部容積内に保持するハウジング部材を提供し、個別又は直列に使用して、ハウジングアセンブリ内に保持可能な切断要素の数を増やすことができる、１つ以上のスペーサーハウジングを提供してよい。同様に、複数の切断要素は、装置を構成する際にユーザに最大の柔軟性を提供するために、同一であってもよく、異なる開口サイズを有していてもよく、又はその両方の組み合わせであってもよい。
【００２５】
図面及び以下の説明を参照して、本発明の他の態様及び実施形態を理解する。
【図面の簡単な説明】
【００２６】
【図１】図１は、２つの注射器に取り付けられた、使用中の組織解凝集装置の斜視図である。
【図２】図２は、図１に示される組織解凝集装置及び２つの注射器の分解図である。
【図３】図３は、本発明の組織解凝集装置の一構成の分解図である。
【図４】図４は、解凝集アセンブリで使用され得るスライサーの斜視図である。
【図５】図５は、図３に示される装置が組み立てられていない場合の概略断面図である。
【図６】図６は、図３に示される装置が組み立てられた場合の概略断面図である。
【図７】図７は、図６に示されるスライサーの概略断面図である。
【図８】図８は、スペーサーハウジングを含む、組み立てられた組織解凝集装置の別の構成の斜視図である。
【図９】図９は、図８に示される組織解凝集装置の分解図である。
【図１０】図１０は、図８に示される装置が組み立てられた場合の概略断面図である。
【図１１】図１１は、代替のハウジング部材設計を有する、組み立てられた組織解凝集装置の別の構成の斜視図である。
【図１２】図１２は、図１１に示される組織解凝集装置の分解図である。
【図１３】図１３は、チョッパーの斜視側面図である。
【図１４】図１４は、チョッパーの前側の概略平面図である。
【図１５】図１５は、チョッパーの裏側の概略平面図である。
【図１６】図１６は、図１１〜１２に示される装置の断面平面図である。
【図１７】図１７は、図１１〜１２に示される装置の断面平面図である。
【発明を実施するための形態】
【００２７】
本発明は、細胞を著しく損傷せずに、比較的大きな細胞集塊をより小さな集塊及び／又は個々の細胞に分解することによって、組織試料を解凝集するように適合された組織ホモジナイザーを提供する。本発明の装置は、美容処置における同種移植用の脂肪組織を処理するための特別な有用性を有する。これらの処置では、美容上の利益のために、脂肪組織を患者の１つの部位（例えば、皮下臀部又は腹部）から除去し、別の部位（例えば、唇、顔のしわなど）に注入するのが一般的であり、また、より小さな細胞集塊及び凝集体を有するより滑らかな組織生成物を注入／移植することによって、より良い結果が達成され得る。しかしながら、脂肪組織は、患者の体から最初に取り除いたとき、患者に再注入するには大きすぎる脂肪細胞の凝集塊を含む場合があり、及び／又はこれらの凝集体を再注入しても、望ましい美容効果が得られない場合がある。例えば、抽出された脂肪細胞の塊が大きすぎて、特定の医療処置に必要な侵襲性の低い細い針を通過できない場合や、皮下注射したときに大きな塊により見た目が凸凹になる場合がある。さらに、細胞凝集体のサイズがより小さければ、幹細胞及び他の細胞と注射部位に存在する細胞凝集体とのより良い相互作用を可能にすることができる。したがって、移植前に細胞集塊を解凝集することによって、処置の美容的及び治療的有効性の両方を改善することができる。
【００２８】
解凝集手順は、好ましくは、無傷細胞自体をほとんど又は全く損傷せずに、単により大きな細胞集塊をより小さな細胞集塊、ひいては単一の細胞に分解する。濾過は、より大きな細胞集塊の単純な除去（例えば、サイズ排除による）に基づいており、かつ抽出手順から生細胞の収量を必然的に減少させるため、解凝集は、従来技術の濾過技術より好ましい。一方では、解凝集は、より多くの生存可能な抽出細胞を保持する。
【００２９】
図１は、構成要素及び構成要素間の関係を理解するのに役立つ装置１０の使用方法を示している。装置１０は、２つの注射器１、２の間に流体流路を提供するように構成されている。第１の注射器１に収集された患者由来の組織１２は、装置１０を通過して第２の注射器２に入る。組織が装置１０を順方向Ａ１に通過すると共に、大きな細胞凝集体は、より小さな細胞の塊に解凝集される。次に、更なる解凝集を提供するために、組織は、第２の注射器２から装置１０を逆方向Ａ２に通過し、第１の注射器１に戻ることができる。このように、装置は双方向であってよい。この双方向処理は、１、２、３、４、５、６、７、８、９、１０又はそれ以上のサイクル、及び／又は組織試料全体が所望のサイズの塊に解凝集されるまで継続してもよい。最終の組織標本１４は、ユーザの希望するとおり、第１の注射器１、第２の注射器２のいずれかに存在してもよいし、第１の注射器１と第２の注射器２との間で分割されてもよい。
【００３０】
図２は、注射器１、２に関連して組み立てられた装置１０の分解図を示している。装置１０は、組織と外部環境との間の接触を防止し、かつ処理中の組織の損失を防止するように閉鎖系を形成するために、注射器１、２の間に実質的に漏れのない流体流路を提供する。これにより、手順中に組織が汚染されたり、損傷を受けたりすることがないことを保証することができる。注射器１、２は、流体を分配及び吸引するために注射筒内にそれぞれ正圧と負圧を生成するためのプランジャ１ａ、２ａを特徴とする標準的な医療用注射器であってよい。注射器１、２はまた、装置１０との液密シールを形成することができる先端１ｂ、２ｂを有する。いくつかの実施形態では、注射器１、２の先端１ｂ、２ｂ及び装置１０のポート１１ａ、ｂは、標準的なルアーロックコネクタである。使用中に、装置１０は、最初に組織試料を含む注射器のプランジャに正圧を加えることのみによって組織試料が注射器１、２の間で押されるように構成されることが好ましい。しかしながら、粘性のある試料及び／又は特に大きな細胞凝集体を有する試料の場合、収容注射器のプランジャを使用して同時に負圧を加える必要がある場合がある。
【００３１】
典型的には、装置１０は、外側本体を構成するハウジングアセンブリ１００と、組織試料を解凝集するように一緒に適合される様々な要素を任意選択的に含む内部解凝集アセンブリ２００とを含む。解凝集アセンブリに任意選択的に含まれる要素は、例えば、１つ以上のチョッパー２０２、スライサー２１６及びＯリング１２２を含む。その様々な従属部品を含む解凝集アセンブリ２００は、ハウジングアセンブリ１００内に収容される。
【００３２】
本明細書において、チョッパー２０２は、チョッパー開口２０６を規定するチョッパー部材２０４を有する解凝集アセンブリ２００要素であり、チョッパー２０２の少なくとも１つの面（又は両面）は、標準的な金網又はプラスチック網に典型的な丸み付きエッジ又は四角いエッジではなく、前向きの切断エッジを有するチョッパー部材２０４を有する。チョッパー開口２０６は、約０．５〜１０ｍｍの最長寸法を有するが、いずれにせよ、スライサー開口２２６より長い／大きい。
【００３３】
本明細書において、スライサー２２２は、スライサー開口２２６を規定するスライサー部材２２４を有する解凝集アセンブリ２００要素であり、スライサー２２２の少なくとも１つの面（又は両面）は、標準的な金網又はプラスチック網に典型的な丸み付きエッジ又は四角いエッジではなく、前向きの切断エッジを有するスライサー部材２２４を有する。スライサー開口２２６は、約０．２〜２．５ｍｍの最長寸法を有するが、いずれにせよ、チョッパー開口２０６より短い／小さい。
【００３４】
Ｏリング１２２は、切断要素間に流体空間を有することが望ましい場合があるため、隣接するチョッパー２０２及び／又はスライサー２２２の間のスペーサーとして使用される。
さらに、Ｏリング１２２は、組み立てられたハウジングアセンブリ１００内の全ての解凝集アセンブリ２００要素を安定させるために、ハウジングアセンブリ１００要素の内面と最も外側の切断要素（チョッパー２０２又はスライサー２２２）との間に配置されてよい。
【００３５】
各要素は、図３〜１７を参照して以下に詳細に説明される。
【００３６】
ハウジングアセンブリ
装置１０の外側本体は、解凝集アセンブリ２００を封入して収納するハウジングアセンブリ１００を含む。ハウジングアセンブリ１００は、以下に記載されるような様々な要素を含んでよい。
【００３７】
一実施形態では、ハウジングアセンブリ１００は、嵌合時に内部容積を形成し、かつ内部容積内に解凝集アセンブリ２００を収容するように適合された２つのハウジング部材１０２ａ、ｂを含む。ハウジング部材１０２は、円形断面（ハウジング部材内部開口部１０８を見た場合）以外の任意の便利な形状を有してよい。しかしながら、ハウジング部材１０２及びハウジング部材の開口部１０８はまた、八角形、楕円形、正方形、他の形状及びそれらの任意の組み合わせなどの他の形状の断面を含んでよい。好ましい実施形態では、ハウジング部材１０２の形状は、典型的には、ポート１１をその頂点で終端する円錐台形状であってよい。
【００３８】
様々な図に示されるように、通常、ハウジング部材１０２ａ、ｂには円錐台形状が好ましく、ハウジング部材１０２ａ、ｂの円筒形部分は、嵌合して液密シールを形成するように適合されている。ハウジング部材１０２の円錐部分は、小さな空隙容積を提供し、流体流路を、ポート１１の狭い直径から、装置１０の本体を形成する円筒形部分のより大きな直径に移行させる。ハウジング部材１０２ａ、ｂのそれぞれは、注射器２０の先端２２に接続するように適合されたポート１１をさらに含む。好ましくは、ポート１１は標準的なルアーロック嵌合対部材であり、標準的な注射器上の相補的なルアーロック嵌合対部材と組み合わせて、嵌合時に液密シールを形成する。他の実施形態では、ポート１１はルアースリップ金具を含む。装置１０の範囲は、ポート１１の特定の構成及び／又はポートが注射器１、２の先端１ｂ、２ｂにどのように接続されているかによって、決して制限されないことが理解される。ポート１１はまた、流体流路を提供するために、ハウジング部材１０２から注射器の先端１ｂまで延びるチューブ又は他のタイプの通路を含んでよい。
【００３９】
上記のように、ハウジング部材１０２ａ、ｂは、典型的には対称的であるが、嵌合されて液密シールを形成するように適合されている。嵌合機構は、特定のニーズと使用目的に応じて、可逆的又は不可逆的であってよい。最も便利なことに、ハウジング部材１０２ａ、ｂは、解凝集アセンブリ２００の装填及び構成を可能にするために別個の要素として製造及び／又は提供されるが、ハウジング部材１０２ａ、ｂが嵌合されると、装置１０を分解／再組み立てすることはできない。図３に示される一実施形態では、ハウジング部材１０２ａ、ｂは、ハウジング部材１０２ａ、ｂが一体にねじ止めされるように、相補的なねじ付きコネクタ１０５ａ、ｂを使用して嵌合される。図５〜６に示される別の実施形態では、ハウジング部材１０２ａ、ｂはノッチ及び戻り止めシステム１０４を使用して嵌合される。あるいは、ハウジング部材１０２ａ、ｂは、１つのハウジング部材１０２ａの本体が他方のハウジング部材１０２ｂの開口部１０８内に確実にスライドするように設計された単純な摩擦嵌合を使用して嵌合されてよい。
【００４０】
ハウジングアセンブリ１００は、任意選択的に、図９〜１０に示されるようなスペーサーハウジング１２８を含んでよい。スペーサーハウジング１２８は、より大きな解凝集アセンブリ２００により多くの内部容積を提供するために、ハウジングアセンブリ１００の長さを延長するように適合されている。スペーサーハウジング１２８は、モジュラー装置１０システムを提供するために、様々な長さで提供されてよい。以下により詳細に論じるように、装置１０システムは、ハウジング部材１０２ａ、ｂのみが単一の解凝集アセンブリ２００要素（例えば、チョッパー２０２又はスライサー２２２）を受け入れるように設計されてよい。異なる長さの１つ以上のスペーサーハウジング１２８を提供し、完全に組み立てられたハウジングアセンブリ１００（ハウジング部材１０２ａ、ｂ及びスペーサーハウジング１２８を含む）の長さが、追加の解凝集アセンブリ２００要素を受け入れるようなサイズにしてもよい。図９は、ねじ付きコネクタ１０５ａ、ｂを有するスペーサーハウジング１２８を示し、図１０は、ノッチ及び戻り止めシステム１０４を有するスペーサーハウジング１２８を示している。特定の接続機構は、ここに示されているものに限定されないことが理解される。
【００４１】
図３及び５に示される別の実施形態では、ハウジング部材１０２は、任意選択的に、ハウジング部材１０２の内面及びハウジング部材内部開口部１０８内に配置され得る１つ以上の切断刃１１２（例えば、１、２、３、４、５、６、７個又はそれ以上）を含む。一実施形態では、切断刃１１２は、典型的には、ポート１１から長手方向及び／又は任意の配向角度で延びる。切断刃１１２は少なくとも１つの鋭い刃を有し、かつチョッパー２０２及びスライサー２２２などのより微細な解凝集要素の目詰まりを低減できる最大の組織凝集体を分割するように適合及び設計されている。任意の切断刃１１２は、ハウジング部材１０２ａ又は１０２ｂのいずれか、又は両方に存在してよい。
【００４２】
いくつかの実施形態では、切断刃１１２の全長は、ハウジング部材１０２の内面に固定されてよい（例えば、図５の切断刃１１２ａを参照）。他の例示的な実施形態では、切断刃１１２の第１の端部は、ハウジング部材１０２の内面に固定されてよく、切断刃１１２の第２の端部は、内部容積内に自由に延在し、かつ表面から離れてよい（例えば、図５の切断刃１１２ｂを参照）。切断刃１１２は、接着剤、溶接、収容孔、チャネル内への圧入、他のタイプの取り付け機構又は方法及びそれらの任意の組み合わせを使用して内面１１０に取り付けられてよい。あるいは、切断刃１１２及びハウジング部材１０２は、同時成形されるか又は一体的に形成されてよい。
【００４３】
別の実施形態では、ハウジング部材１０２は、ハウジング部材１０２の内面から挿入された解凝集アセンブリ２００要素まで延びることができる支柱１２４を含んでよい。それにより、支柱１２４は、解凝集アセンブリ２００に横方向の支持を提供することができる。好ましくは、支柱１２４はチョッパー２０２及び／又はスライサー２２２（他の項目で説明される構成に応じて）の前面及び／又は裏面に当接して、両側からチョッパー２０２及び／又はスライサー２２２自体に直接的に支持を提供してよい。これにより、装置１０の使用中に、解凝集アセンブリ２００を所定の位置に固定及び保持しやすくなる場合がある。必要に応じて、任意の数の支柱１２４を解凝集アセンブリ２００のいずれかの側で使用してよい。
【００４４】
ハウジング部材１０２は、直径が約１〜５センチメートル（例えば、約１、２、３、４又は５ｃｍ）であってよいが、他の直径を用いてもよい。装置１０の全ての構成要素と同様に、ハウジングアセンブリ１００は、例えばポリスチレン、ポリプロピレン、ポリエチレン又は他の種類の適切な材料を含む任意の適切な材料から形成されてよい。
【００４５】
解凝集アセンブリ
装置１０は、ハウジングアセンブリ１００に封入された解凝集アセンブリ２００を含む。解凝集アセンブリ２００は、個別又は任意の組み合わせで存在し得る、以下に記載される１つ以上の要素を含む。
【００４６】
解凝集アセンブリ−チョッパー２０２
いくつかの実施形態では、解凝集アセンブリ２００は、１つ以上のチョッパー２０２を含む。図１３〜１５に示されるように、チョッパー２０２は、同様の一般的な断面形状を有し、ハウジングアセンブリ内にぴったりと嵌合するように適合されている。一実施形態では、チョッパー２０２は、複数の細断開口２０６を規定するように配置され得る細断部材２０４のディスク形状格子である。一実施形態では、細断部材２０４は、リング間に延びる間隔を空けた放射状部材２０４ａ（例えば、スポーク）を備える同心リング部材２０４ｂとして配置されてよい。チョッパー２０２は、２つの同心リング部材２０４ｂを含んでよく、最も外側のリング２０４ｃは、チョッパー２０２の外縁を規定する。他の数のリング（例えば、１つ、２つ、３つ又はそれ以上の同心リング部材）を使用してもよい。放射状部材２０４ａは、同心リング部材２０４ｂを介して隣接していても隣接していなくてもよい。同心リング及び放射状スポークのこの形成は、蜘蛛形格子とも呼ばれることもある。細断開口２０６は、同心リング２０４ｂ及び放射状部材２０４ａによって規定されている。
【００４７】
別の実施形態では、細断部材２０４は、細断開口２０６の対応する行及び列を形成する行及び列の格子状の形成で配置されてよい。細断部材２０４はほぼ線形の断面であってよく、これにより４つの細断部材２０４は、典型的に正方形、長方形、菱形又は他の四辺形の細断開口２０６を形成する（各細断部材２０４が細断開口２０６の側壁を形成する）ことができる。
【００４８】
いくつかの実施形態では、細断開口２０６の寸法は、より大きな細胞集塊を、より小さな細胞集塊又は中程度のサイズの集塊に分割するように設計されており、これらのより小さな細胞集塊又は中程度のサイズの集塊は、その後に他の項目で説明するように、追加の要素（例えば、スライス格子２１６）によって、さらにより小さな所望のサイズに分割することができる。したがって、細断開口２０６の面積は、スライス開口２２６の面積より小さい。いくつかの実施形態では、細断開口２０６の寸法の最長寸法は約０．５〜１０ｍｍであり、例えば、少なくとも０．５、１．０、２．０、３．０、４．０、５．０、６．０、７．０、８．０、９．０又は１０．０ｍｍを含むか又は０．５、１．０、２．０、３．０、４．０、５．０、６．０、７．０、８．０、９．０又は１０．０ｍｍ以下である。
【００４９】
チョッパー２０２は、ハウジング部材１０２の内部容積内にぴったりと嵌合するような形状である。したがって、チョッパー２０２は、ハウジング部材１０２と同じ断面形状を有し、かつハウジング部材１０２の内面１１０との摩擦嵌合を提供するようなサイズであり、これにより、実質的に全ての組織試料が、通常の使用中に、チョッパー２０２の外面と内面１１０との間ではなく、細断開口２０６を通過して流れるようになることが理解される。
【００５０】
チョッパー２０２は、前面２１２及び後面２１４を有するものとして定義されてよい。前面２１２は、細断部材２０４が切断エッジ２０８を含むことを特徴とする。後面２１４は、細断部材２０４が切断エッジ２０８を有するか又は実質的に平坦である（すなわち、切断エッジ２０８を欠いている）ことを特徴としてよい。切断エッジ２０８を有する細断部材２０４は、組織試料の解凝集のために追加の切断面が望まれる場合、及び／又は解凝集アセンブリ２００が単一のチョッパー２０２のみを含む場合、及び／又は単一のチョッパー２０２が解凝集アセンブリ２００における唯一の解凝集要素である場合に使用してよい。実質的に平坦な細断部材２０４は、よりコンパクトな設計を提供するのに役立ち、かつ解凝集プロセス中に採取された細胞への損傷を少なくすることができる。
【００５１】
切断エッジ２０８は、長さに沿って（好ましくはその全長に沿って）鋭利であってよく、細断部材２０４の形成された形状から生じたものであってよい。例えば、細断部材２０４は、三角形又は他のくさびなど、前面２１２に鋭角を示す任意の便利な形状を有してよい。脂肪組織がチョッパー２０２を強制的に通過してその前面２１２からその後面２１４に押し出される可能性があるため、切断エッジ２０８は、前面２１２に押し付けられ得る凝集した脂肪集塊をスライスするか、さもなければ分割するように適合されている。また、切断エッジ２０８は、接触する可能性のある脂肪細胞を損傷しないように、あまり鋭くないことが好ましい。また、切断エッジ２０８は、脂肪集塊が引っ掛かったり、さもなければ開口２０６を通過するのを妨げたりしないように、粗くないことが好ましい。このようにして、細断開口２０６よりサイズが大きい可能性のある脂肪細胞の集塊は、前面２１２から開口２０６を強制的に通過し、細断部材２０４及びそれらに対応する鋭利な前部切断エッジ２０８のスライス作用によって分割されてよい。切断エッジ２０８は、成形プロセスの結果として研磨されてもよく、必要に応じて二次的な研磨手順の間に研磨されてもよい。さらに、切断エッジ２０８は、必要に応じていつでも再研磨することができる。
【００５２】
解凝集アセンブリ−スライサー２２２
解凝集アセンブリ２００はまた、１つ以上のスライサー２２２を含んでよい。図４に示されるように、スライサー２２２は、複数の対応するスライサー開口２２６を規定するように配置される複数のスライサー部材２２４を含んでよい。スライサー２２２は、ディスク形状であってもよいし、又は他の形状を含んでもよい。スライサー２２２の設計上の考慮事項はチョッパー２０２の場合と同様であるが、スライサー開口２２６がチョッパー開口２０６より小さく、スライサー部材２２４の寸法／厚さが、チョッパー部材２０４と比較して同じ又はより小さい点が異なる。一般に、スライサー２２２は、チョッパー２０２より小さい細胞集塊を生成することが意図されている。任意選択的に、スライサー２２２は、前側／外側、背側／内側又はその両方に統合されたＯリング１２２を含む。Ｏリング１２２は、ハウジングアセンブリ１００内にぴったりと固定された解凝集アセンブリ２００要素に対して間隔を空けるために使用されてよい。
【００５３】
いくつかの実施形態では、スライス開口２２６の寸法は、より小さいか又は中程度のサイズの細胞集塊をさらに小さな集塊及び／又は個々の細胞に分割するように設計される。したがって、スライス開口２２６の面積は、細断開口２０６の面積より大きい。いくつかの実施形態では、細断開口２０６の寸法の最長寸法は約０．０５〜２．５ｍｍであり、例えば、少なくとも０．０５、０．１、０．２、０．３、０．４、０．５、０．６、０．７、０．８、０．９、１．０、１．２、１．４、１．６、１．８、２．０、２．２５又は２．５０ｍｍを含むか又は０．１、０．２、０．３、０．４、０．５、０．６、０．７、０．８、０．９、１．０、１．２、１．４、１．６、１．８、２．０、２．２５又は２．５０ｍｍ以下である。
【００５４】
スライサー２２２は、ハウジング部材１０２の内部容積内にぴったりと嵌合するような形状である。したがって、スライサー２２２は、ハウジング部材１０２と同じ断面形状を有し、かつハウジング部材１０２の内面との摩擦嵌合を提供するようなサイズであり、これにより実質的に全ての組織試料が、通常の使用中に、スライサー２２２の外面とハウジング部材１０２の内面の間ではなく、スライス開口２２６を通過して流れることが理解される。
【００５５】
図４に示される一実施形態では、スライス部材２２４は、スライス開口２２６の対応する行及び列を形成する行及び列の格子状又はマトリックス形成に配置される。この例では、各スライス部材２２４は典型的にほぼ真っ直ぐな断面であってよく、これにより４つのスライス部材２２４は典型的に正方形、菱形又は他の四辺形のスライス開口２２６を形成する（各スライス部材２２４はスライス開口２２６の側壁を形成する）ことができる。
【００５６】
図７に示されるように、スライサー２２２は、前面２３２及び後面２３４を有するものとして定義されてよい。前面２３２は、部材２２４が切断エッジ２２８を含むことを特徴とする。後面２３４は、スライス部材２２４が切断エッジ２２８を有するか又は実質的に平坦である（すなわち、切断エッジ２２８を欠いている）ことを特徴としてよい。切断エッジ２２８を有するスライス部材２２４は、組織試料の解凝集のために追加の切断面が望まれる場合、及び／又は解凝集アセンブリ２００が単一のスライサー２２２のみを含む場合、及び／又は単一のスライサー２２２が解凝集アセンブリ２００における唯一の解凝集要素である場合に使用してよい。実質的に平坦なスライス部材２２４は、よりコンパクトな設計を提供するのに役立ち、かつ解凝集プロセス中に採取された細胞への損傷を少なくすることができる。
【００５７】
切断エッジ２２８は、長さに沿って（好ましくはその全長に沿って）鋭利であってよく、スライス部材２２４の形成された形状から生じてよい。例えば、スライス部材２２４は、三角形又は他のくさびなど、前面２３２に鋭角を示す任意の便利な形状を有してよい。脂肪組織がスライサー２２２を強制的に通過してその前面２３２からその後面２３４に押し出される可能性があるため、切断エッジ２２８は、前面２３２に押し付けられ得る凝集した脂肪集塊をスライスするか、さもなければ分割するように適合されている。また、切断エッジ２２８は、接触する可能性のある脂肪細胞を損傷しないように、あまり鋭くないことが好ましい。また、切断エッジ２２８は、脂肪集塊が引っ掛かったり、さもなければ開口２２６を通過するのを妨げたりしないように、粗くないことが好ましい。このようにして、スライス開口２２６よりサイズが大きい可能性のある脂肪細胞の集塊は、前面２３２から開口２２６を強制的に通過し、スライス部材２２４及びそれらに対応する鋭利な前部切断エッジ２２８のスライス作用によって分割されてよい。切断エッジ２２８は、成形プロセスの結果として研磨されてもよく、必要に応じて二次的な研磨手順の間に研磨されてもよい。さらに、切断エッジ２２８は、必要に応じていつでも再研磨することができる。
【００５８】
一実施形態では、スライス開口２２６の寸法は、（前部２３２又は後面２３４のいずれかから）スライサー２２２を通過することができるサイズ変更された脂肪細胞集塊の所望の最大サイズに概ね対応するように選択されてよい。このようにして、凝集した脂肪細胞の塊がスライサー開口２２６を通過することができるので、組織塊は、一般的にスライサー開口２２６のサイズにサイズ変更され得る。スライサー開口２２６の寸法は、細断開口２０６の寸法より小さくてよいことに留意されたい。例えば、一実施形態では、スライサー開口２２６はそれぞれ約５０μｍの幅（これは、ほぼナノ脂肪粒子のサイズである）を有することが好ましい場合がある。別の実施形態では、スライサー開口２２６はそれぞれ約１００μｍの幅を有することが好ましい場合がある。さらに、サイズ変更された脂肪細胞塊を最終的に利用する可能性のある医療手順に応じて、スライス開口２２６は、それぞれ約５０ｐｍ〜２０００ｐｍ又は１００ｐｍ〜１５００ｐｍの幅を有することが好ましい場合がある。サイズ変更された組織塊の最終的な目的に応じて、他の幅を用いてもよく、装置１０の範囲は、スライサー開口２２０の幅によって決して制限されない。
【００５９】
複数（２つ、３つ、４つ又はそれ以上）のスライサー２２２が存在する場合、第１のスライサー２２２ａのスライス開口２２６ａのサイズ、形状又は向きは、第２のスライサー２２２ｂ（又は任意の後続のスライサー２２２）のスライス開口２２６ｂと一致させる又は揃える必要がない。実際、スライサー２２２上に異なるサイズ及び形状のスライス開口２２６を有することにより、任意の個々の開口２２６より小さい機能的開口の形成を可能にすることができる。
【００６０】
一実施形態では、第１及び第２のスライサー２２２ａ、ｂのそれぞれのスライス部材２２４及びスライス開口２２６は、概ね整列していてよい。別の構成では、第２のスライサー２２２ｂは、その中心軸を中心に、例えば、第１のスライサー２２２ａに対して９０°回転する。これにより、４つのスライス部材２２４の頂点又は接合部を、他のスライサー２２２ａのスライス開口２２６ａの中央にある一方のスライサー２２２ｂ内に配置することができる。すなわち、スライサー２２２ａのスライス開口２２６ａを見ると、スライス部材２２４ｂの接合部によって形成された「＋」（十字）の構成を見ることができる。この例は、９０°オフセットされたスライサー２２２の１つを示しているが、スライサー２２２のいずれかが、他のサイズの組み合わされた開口２２６を形成するために、他の角度又は向きでオフセットされ得ることが理解される。スライス開口２２６が他の形状（例えば、円形）であってよい場合、１つ又は複数のスライサー２２２の回転オフセットにより、他のサイズ及び／又は形状の組み合わされた開口２２６が形成される可能性があることにも留意されたい。
【００６１】
装置アセンブリ
いくつかの実施形態では、装置１０は、ハウジングアセンブリ１００内に封入された解凝集アセンブリ２００を含んでよい。様々な実施形態では、解凝集アセンブリ２００は、上記要素のいくつか又は全ての組み合わせを含む。
【００６２】
図３及び５〜６は、本発明に係る装置１０の一実施形態を示している。図３は、第１のハウジング部材１０２ａ、第２のハウジング部材１０２ｂ、スライサー２２２及び横方向に配置された２つのＯリング１２２を有する装置１０の分解図を示している。ハウジング部材１０２ａ、ｂの形状は、頂点の先端１ａ、ｂにおいてルアーコネクタで終端する円錐台である。ハウジング部材１０２ａ、ｂは、図３に示されるように、ねじ付きコネクタ１０５ａ、ｂを介して係合しているが、これらの要素は、液密シールを作成し、かつ解凝集アセンブリを内部にしっかりと保持する任意の適切なコネクタシステム又は対となる部材で置き換えられることが理解される。例えば、ノッチ及び戻り止めシステムが、図５〜６に示されている。ハウジング部材１０２ａ、ｂは、切断刃１１２を有するものとしてさらに示されている。切断刃１１２は任意であり、省略されてもよいことが理解される。本実施形態は、単一の切断要素、スライサー２２２を有する解凝集アセンブリ２００を示している。スライサー２２２の代わりにチョッパー２０２を使用してもよいことが理解される。解凝集アセンブリ２００が単一の切断要素を有する場合、切断要素は、両面に切断エッジを有することにより、組織が順方向及び逆方向の両方に押されるときに、装置によって組織試料が解凝集されるように適合されることが好ましい。本実施形態は、ハウジングアセンブリ１００内にスライサー２２２を固定するために使用される２つのＯリング１２２及び複数の支柱１２４の存在を示している。同じ目的を達成するために、Ｏリング１２２の一方又は両方は、リムとしてスライサー２２２と統合され得ることが理解される。支柱１２４も任意選択である。
【００６３】
図５〜６は、単一の切断要素を解凝集アセンブリ２００内に固定するために使用され得る一実施形態を示している。この場合、切断要素は、スライサー２２２として示されている。ハウジング部材１０２ａ、ｂは、本明細書に記載されるように嵌合して、ハウジングアセンブリ１００を形成し、これにより円周方向のノッチ１２０（又はチャネル）を形成することができる。ノッチ１２０は、スライサー２２２をノッチ１２０内に収容し、かつ単独で又は支柱１２４及び／又はＯリング１２２と組み合わせてノッチ１２０内にしっかりと保持するように、スライサー２２２の幅に対応する幅を有する。このようにして、スライサー２１６は、嵌合しているハウジング部材１０２ａ、ｂ内にぴったりと固定されて、装置１０を形成することができる。
【００６４】
図８〜１０は、装置１０の別の構成を示している。本実施形態では、ハウジングアセンブリ１００は、第１及び第２のハウジング部材１０２ａ、ｂと、解凝集アセンブリ２００の一部として第２の切断要素を組み込むことができるようなサイズにされたスペーサーハウジング１２８と、を含む。図８は、第１及び第２のハウジング部材１０２ａ、ｂ及びスペーサーハウジング１２８を含む組み立てられた装置１０の斜視図を示している。図９は、ハウジングアセンブリ１００要素がねじ付きコネクタ１０５ａ、ｂを介して係合され得ることを示しているが、例えば、図１０に示されるようなノッチ及び戻り止めシステム１０４を含む他のコネクタシステムを使用し得ることが理解される。図９はさらに、２つのスライサー２２２ａ、ｂ及び３つのＯリング１２２ａ、ｂ、ｃを含む解凝集アセンブリ２００の別の構成を示している。図１０は、スペーサーハウジング１２８の導入により図６のノッチ１２０より大きいノッチ１２０が形成され、より大きな解凝集アセンブリ２００を収容して固定するように適合し始めることを示している。本実施形態は、２つの切断要素（スライサー２２２ａ、ｂ）を収容するように適合されたスペーサーハウジング１２８とともに示されているが、スペーサーハウジング１２８は、スライサー２２２とチョッパー２０２の組み合わせ物であってよい３、４、５、６個又はそれ以上の切断要素を収容するように変更され得ることが理解される。
【００６５】
図１１、１２、１６、及び１７は、装置１０の別の構成を示している。図１１は、ハウジングアセンブリ１００を含む本実施形態の完全に組み立てられた装置を示しており、ハウジングアセンブリ１００は、複数（この場合、４個）の切断要素を有する解凝集アセンブリ２００を収容するのに十分な大きさの第１及び第２のハウジング部材１０２ａ、ｂを含む。図１２に示されるように、ハウジング部材１０２ａ、ｂは、ノッチ及び戻り止めシステム１０４ａ、ｂで係合されている。いくつかの実施形態では、このシステムは不可逆的な係合を形成する。本実施形態では、解凝集アセンブリ２００は、第１及び第２のチョッパー２０２ａ、ｂと、第１及び第２のスライサー２２２ａ、ｂと、を含む。チョッパー２０２ａ、ｂは、スライサー２２２ａ、ｂに対して横方向に配置される。一構成では、チョッパー２０２ａ、ｂは、外側に面する前面２１２ａ、ｂに切断エッジ２０８を有し、かつ内側に面する後面２１４ａ、ｂに、平坦な及び／又は非切断エッジを有する。ここに示されている１つの構成では、スライサー２２２ａ、ｂは、前面２３２ａ、ｂ及び後面２３４ａ、ｂに切断エッジ２２８を有する。任意選択的に、Ｏリング１２２は、より効率的な組織の解凝集を促進するために、第１のスライサー２２２ａと第２のスライサー２２２ｂとの間に配置される。上述したように、Ｏリング１２２は、スライサー２２２ａ、ｂのいずれか又は両方に一体化されていてよい。任意選択的に、図示されていないが、Ｏリング１２２を各チョッパー２０２とスライサー２２２との間に配置してもよい。
【００６６】
図１６は、完全に組み立てられた構成の本実施形態の断面を示している。任意選択的に、チョッパー２０２ａ、ｂは、外側から内側方向に延びるテーパー２１０を有する。テーパー２１０は、組織試料がチョッパー２０２を通過するときに組織試料の速度を増加させる傾向があり、これにより組織試料は、スライサー２２２によってより効果的に解凝集される。テーパー角度ａは約１０°〜６０°であってよく、例えば、約１０°、２０°、３０°、４０°、５０°、６０°及び７０°を含む。
【００６７】
図１７は、装置１０の流体流路の下流を一方のポート１１ａから他方のポート１１ｂの方向に見た断面図を示している。この図は、組織試料が最初に比較的大きな開口２０６を有するチョッパー２０４にぶつかり、続いて比較的小さな開口２２６を有するスライサー２２２にぶつかることを示している。
【００６８】
要素２０２ａ、２２２ａ、２２２ｂ、２０２ｂの直列の組み合わせは、要素２０２ａ、２２２ａ、２２２ｂ、２０２ｂの円周面とハウジング部材１０２ａ、ｂの内面との間に隙間又は開口部がないように、ハウジングアセンブリ１００の内部容積１１６内にしっかりと嵌合することが好ましい。これにより、第１のポート１１ａから第２のポート１１ｂへ、及び第２のポート１１ｂから第１のポート１１ａへ通過する組織が、開口２０６ａ、２２６ａ、２２６ｂ、２０６ｂを通過しなければならないことを保証し得る。
【００６９】
さらに、要素２０２ａ、２２２ａ、２２２ｂ、２０２ｂの直列の組み合わせは、特に組織が要素２０２ａ、２２２ａ、２２２ｂ、２０２ｂを介していずれかの方向に押されることにより、要素２０２ａ、２２２ａ、２２２ｂ、２０２ｂに力が加えられる場合に、内部容積１１６内の横方向の移動から確実に保持され得ることが好ましい。要素２０２ａ、２２２ａ、２２２ｂ、２０２ｂは、要素を圧入、接着剤の使用、溶接又は他の取り付け方法により円周方向のノッチに又は内面の戻り止めの間に嵌合させることによって固定されてよい。
【００７０】
使用方法
装置１０は、より大きなサイズの組織の塊をより小さなサイズの塊に分解するために使用することができ、得られたより小さなサイズの組織の塊は、様々な異なる医療処置に使用することができる。
【００７１】
脂肪組織は、任意の適切な手順（例えば、脂肪吸引）によって患者から除去され、そして第１の注射器１に提供され得る。脂肪組織を含む第１の注射器１では、注射器１のプランジャ１ａを完全に又は部分的に延長させてよい。次に、装置１０は、ポート１１ａを介して第１の注射器１の先端１ｂに接続されてよい。次に、第２の注射器２（好ましくは空である）の先端２ｂは、装置１０の他のポート１１ｂに接続されてよい。好ましくは、第２の注射器２のプランジャ２ｂはこのように完全に挿入され、第１の注射器１、装置１０と第２の注射器２との間に漏れ防止シールが形成されてよい。
【００７２】
次に、第１の注射器１のプランジャ１ａは、内側に押されて、組織を注射器１の先端１ｂから押し出して装置１０に押し込むことができる。プランジャ１ａが内側に移動し続けると、組織は、解凝集アセンブリ２００を矢印Ａ１の方向に強制的に通過し、それによってチョッパー２０２ａ、ｂ、スライサー２２２ａ、ｂ及び切断刃１１２（使用される解凝集アセンブリ２００の構成及び要素による）によって解凝集されてよい。
【００７３】
同時に、第２の注射器２のプランジャ２ａが引き抜かれて負圧を生成し、それによって組織を装置１０から第２の注射器２に引き込む。このプロセスは、好ましくは、（全て又は少なくとも大部分の組織が注射器１から押し出されるように）プランジャ１ａが注射器１に完全に押し込まれ、そして（全て又は少なくとも大部分の組織が注射器２に引き込まれるように）プランジャ２ａが注射器２から完全に延出されるまで、継続されてよい。
【００７４】
次に、第２の注射器２のプランジャ２ａは、内側に押されて、組織を注射器２の先端２ｂから押し出して装置１０に押し込むことができる。プランジャ２ａが内側に移動し続けると、組織は、解凝集アセンブリ２００をＡ２の方向に強制的に通過し、それによってチョッパー２０２ａ、ｂ、スライサー２２２ａ、ｂ及び切断刃１１２（使用される解凝集アセンブリ２００の構成及び要素に依存する）によって解凝集されてよい。
【００７５】
同時に、第１の注射器１のプランジャ１ａは、第１の注射器１から引き出されて、組織を装置１０から第１の注射器１に引き込むことができる。このプロセスは、好ましくは、（全て又は少なくとも大部分の組織が注射器２から押し出されるように）プランジャ２ａが注射器２に完全に押し込まれ、そして（全て又は少なくとも大部分の組織が注射器１に引き込まれるように）プランジャ１ａが注射器１から完全に延出されるまで、継続されてよい。
【００７６】
この前後の手順は、脂肪細胞の塊を所望のサイズに首尾よくサイズ変更するために必要な回数だけ繰り返されてよい。組織が適切なサイズに十分に精製されたら、組織を第１の注射器１、第２の注射器２又はそれらの任意の組み合わせに収集し、装置１０を注射器１、２から取り外すことができる。次に、医療処置の必要に応じて、組織を患者に移植することができる。
【００７７】
装置の利点
装置１０の利点は複数あり、以下の利点が含まれるが、これらに限定されない。
【００７８】
第１に、他の項目で説明したように、装置１０は、特定の医療処置に使用される適切なサイズになるように脂肪組織を適切に準備及び精製することができる。
【００７９】
第２に、装置１０の解凝集アセンブリ２００は、個々の脂肪細胞に不必要に損傷を与えることなく、脂肪塊を解凝集することができる。
【００８０】
第３に、装置１０の解凝集アセンブリ２００は、より大きな脂肪塊を濾過して除去することはできないが、代わりにそれらを所望のサイズに分解することができる。
【００８１】
第４に、装置１０の双方向機能は、組織が解凝集アセンブリ２００を複数回通過することを可能にして、組織塊を適切に解凝集することを保証することができる。例えば、脂肪細胞塊はある程度柔軟で和やかであるため、それらの向きに応じて、一部の塊は完全に解凝集されることなく、装置１０を（矢印Ａ１の方向に）最初に通過する過程において、開口２０６、２２６を介して押し込むことができる。したがって、装置１０を前後に複数回通過できるようにすることにより、装置１０は、組織塊が開口２０６、２２６を通過して装置１０によって解凝集されると同時に、最終的に適切に配向されることをより効果的に保証することができる。
【００８２】
第５に、プランジャ１ａが第１の注射器１に完全に挿入され、かつプランジャ２ａが第２の注射器１から完全に引き抜かれ得るとき、一部の組織が先端１ｂ及び／又は装置１０の左側ハウジング部材１０２ａに残る可能性があるという事実のため、最初に（矢印Ａ１の方向に）通過する過程において、第１の注射器１から装置１０を通過して全ての組織を押し込むことが不可能な場合があるため、装置１０を最初に通過する過程において一部の組織が解凝集されない可能性がある。したがって、装置１０を（矢印Ａ２の方向に）２回目に通過すると、最初の通過時に解凝集されなかった組織は、２回目の通過過程又は場合によっては次の通過過程において、解凝集アセンブリ２００を強制的に通過することができるように、注射器１、２及び／又は装置１０内で再配置されてよい（いくらか流動的である）。このようにして、装置１０を複数回通過できるようにすることにより、装置１０は、全て又は少なくとも高い割合の組織が最終的に解凝集アセンブリ２００を通過して適切に解凝集されることを保証することができる。
【００８３】
第６に、装置１０は、精製される組織が外部環境と接触しないように閉鎖系を提供することができ、これにより汚染の可能性を最小限に抑えることができる。
【００８４】
当業者は、本明細書を読むことによって、本明細書の実施形態が異なる及び／又は他の利点を提供することができること、及び全ての実施形態又は実施が全ての利点を有する必要があるわけではないことを認識し理解するであろう。
【００８５】
本発明は、本明細書において広く一般的に記載されている。一般的な開示に含まれる下位種及び亜属集団のそれぞれも、方法の一部を形成する。これには、除外されるものが本明細書に具体的に記載されているか否かに拘らず、当該属から任意の主題を除外する条件又は否定的限定を付した方法の一般的な記述が含まれる。
【００８６】
他の実施形態は、以下の特許請求の範囲内にある。さらに、この方法の特徴又は態様がマーカッシュ群に関して説明される場合、当業者は、これにより本発明がマーカッシュ群の任意の個々の要素又は要素のサブ群に関しても説明されることを認識するであろう。
【００８７】
当業者は、本明細書を読むことによって、本明細書又は他の方法で記載された実施形態のいずれかの態様、要素及び／又は詳細のいずれかを任意の方法で組み合わせることができ、本発明の範囲は、本明細書の実施形態のいずれかの任意の態様、要素又は詳細な任意の組み合わせを含むことを理解するであろう。
【００８８】
本発明は、現在最も実用的で好ましい実施形態であると考えられているものに関連して説明されてきたが、本発明は、開示された実施形態に限定されるものではなく、逆に添付の特許請求の範囲の精神及び範囲に含まれる様々な修正及び同等の構成をカバーすることを意図していることが理解される。
【符号の説明】
【００８９】
１  第１の注射器
２  第２の注射器
１ａ、２ａ  プランジャ
Ａ１  順方向
Ａ２  逆方向
１０  装置
１００  ハウジングアセンブリ
２００  解凝集アセンブリ
１４  組織標本
１ｂ、２ｂ  先端
１１ａ  第１のポート
１１ｂ  第２のポート
１０２ａ、ｂ  ハウジング部材
１０４ａ、ｂ  戻り止めシステム
１０５ａ、ｂ  ねじ付きコネクタ
１０８  開口部
１１２ａ、ｂ  切断刃
１１６  内部容積
１２０  ノッチ
１２２ａ、ｂ、ｃ  Ｏリング
１２４  支柱
１２８  スペーサーハウジング
２０２ａ  第１のチョッパー
２０２ｂ  第２のチョッパー
２０４  細断部材
２０４ａ  放射状部材
２０４ｂ  同心リング
２０６  細断開口
２０８、２２８ａ、ｂ  切断エッジ
２１０  テーパー
２１２ａ、２１２ｂ、２３２ａ、２３２ｂ  前面
２１４ａ、２１４ｂ、２３４ａ、２３４ｂ  後面
２１６  スライサー
２２６  スライス開口
２２４  スライス部材
２２２ａ  第１のスライサー
２２２ｂ  第２のスライサー
【図１】
2021531134.tif 000003
【図２】
2021531134.tif 000004
【図３】
2021531134.tif 000005
【図４】
2021531134.tif 000006
【図５】
2021531134.tif 000007
【図６】
2021531134.tif 000008
【図７】
2021531134.tif 000009
【図８】
2021531134.tif 000010
【図９】
2021531134.tif 000011
【図１０】
2021531134.tif 000012
【図１１】
2021531134.tif 000013
【図１２】
2021531134.tif 000014
【図１３】
2021531134.tif 000015
【図１４】
2021531134.tif 000016
【図１５】
2021531134.tif 000017
【図１６】
2021531134.tif 000018
【図１７】
2021531134.tif 000019
【国際調査報告】
2021531134.tif 000020
2021531134.tif 000021